(57)【要約】【課題】内枠の連結作業性を向上させることにより設置効率を向上させた点検口の提供を目的とする。【解決手段】外枠１内に連結ヒンジ２を介して内枠３を開閉自在に連結してなる点検口であって、  前記連結ヒンジ２は、内枠３に固定される第一リンク片４と、  前記第一リンク片４に滑り対偶で連結されるとともに、前記外枠１に形成されるヒンジ支承部５上に摺動自在に支承されて内枠３を閉蓋姿勢に保持する第二リンク片６とからなり、  前記内枠３は、前記第二リンク片６に形成されるフック部７を前記ヒンジ支承部５に係止させて開蓋状態を保持可能な点検口。【選択図】  図６
2018109267.tif 000002
【特許請求の範囲】
【請求項１】
外枠内に連結ヒンジを介して内枠を開閉自在に連結してなる点検口であって、
前記連結ヒンジは、内枠に固定される第一リンク片と、
前記第一リンク片に滑り対偶で連結されるとともに、前記外枠に形成されるヒンジ支承部上に摺動自在に支承されて内枠を閉蓋姿勢に保持する第二リンク片とからなり、
前記内枠は、前記第二リンク片に形成されるフック部を前記ヒンジ支承部に係止させて開蓋状態を保持可能な点検口。
【請求項２】
前記ヒンジ支承部にはストッパ部を膨隆させたストッパ杆が連結されるとともに、
前記第二リンク片には、前記ストッパ杆が貫通し、前記内枠の閉蓋姿勢から開蓋姿勢までの姿勢変換に伴う前記ストッパ杆の相対移動を許容する長孔が開設される請求項１記載の点検口。
【請求項３】
前記第一リンク片は内枠に対して回転自在に連結される請求項１または２記載の点検口。
【請求項４】
前記第一リンク片には、内枠の閉蓋動作中に該内枠に当接する内枠当接片が設けられる請求項３記載の点検口。
【請求項５】
前記第二リンク片のフック部と、内枠の閉蓋時におけるヒンジ支承部への当接部との境界には、内枠のフック部方向への移動に際してヒンジ支承部に衝接して第二リンク片の移動に対する抵抗力を発生させて第二リンク片の第一リンク片との摺動を第二リンク片のヒンジ支承部への乗り上げに先行させる傾斜部が設けられる請求項１から４のいずれかに記載の点検口。
【請求項６】
前記内枠には、前記外枠の点検口設置壁面への露出端を覆い、閉蓋姿勢において一本の連続する矩形枠形状の目地を構成する外向きフランジが設けられる請求項１から５のいずれかに記載の点検口。
【発明の詳細な説明】
【技術分野】
【０００１】
本発明は、点検口に関するものである。
【背景技術】
【０００２】
天井空間等の配線等を点検するための点検用開口を開閉するための点検口としては、特許文献１に記載のものが知られている。
【０００３】
この従来例において、点検口は天井に開設された点検用開口に固定される外枠と、外枠内に開閉姿勢間で回転自在に連結される内枠とを有する。内枠にはアームがスライド自在に連結され、該アームの先端に頭部を膨隆させた軸体が突設される。
【０００４】
一方外枠には、上記軸体がスライド自在に挿通する案内溝が開設されており、軸体が案内溝内をスライドすることにより内枠の移動を許容する。
【先行技術文献】
【特許文献】
【０００５】
【特許文献１】特許第２６９０２８１号公報
【発明の概要】
【発明が解決しようとする課題】
【０００６】
しかし、上述した従来例において、点検用開口に固定した外枠への内枠の連結操作は、内枠を所定姿勢に保持した状態でアームの軸体を外枠の案内溝に挿入する必要があり、内枠が重い場合、あるいは点検用開口内が暗い場合には、軸体を案内溝に正確に導くことが困難であり、連結作業性が劣るという問題がある。
【０００７】
本発明は、以上の欠点を解消すべくなされたものであって、内枠の連結作業性を向上させることにより設置効率を向上させた点検口の提供を目的とする。
【課題を解決するための手段】
【０００８】
本発明によれば上記目的は、
外枠１内に連結ヒンジ２を介して内枠３を開閉自在に連結してなる点検口であって、
前記連結ヒンジ２は、内枠３に固定される第一リンク片４と、
前記第一リンク片４に滑り対偶で連結されるとともに、前記外枠１に形成されるヒンジ支承部５上に摺動自在に支承されて内枠３を閉蓋姿勢に保持する第二リンク片６とからなり、
前記内枠３は、前記第二リンク片６に形成されるフック部７を前記ヒンジ支承部５に係止させて開蓋状態を保持可能な点検口を提供することにより達成される。
【０００９】
本発明において、内枠３は該内枠３に固定される第一リンク片４と、第一リンク片４に連結される第二リンク片６とからなる連結ヒンジ２を介して外枠１に連結されており、開蓋状態において第二リンク片６に形成されるフック部７が外枠１のヒンジ支承部５に係止される。
【００１０】
開蓋状態から内枠３を閉蓋状態に移行させると、第一リンク片４のヒンジ支承部５との摺接部位がフック部７から開放端側に摺動して移動するとともに、第一リンク片４が第二リンク片６に対して摺動して内枠３の移動の自由度が確保され、第一リンク片４の所定部位がヒンジ支承部５上に支承されて閉蓋状態が維持される。
【００１１】
連結ヒンジ２が予め内枠３に連結され、該連結ヒンジ２のフック部７を外枠１のヒンジ支承部５に係止した状態で開蓋姿勢を保持するモードを有する本発明において、上記開蓋姿勢で第一リンク片４のフック部７を外枠１のヒンジ支承部５に係止させることにより外枠１への内枠３の連結が完了する。
【００１２】
この結果、従来例のように、内枠３の装着に際し、軸体が狭い案内溝に合致する姿勢に内枠３を保持する必要がなくなり取付作業性が向上する。
【００１３】
また、上記目的を達成するための本発明の他の態様として、
前記ヒンジ支承部５にはストッパ部８を膨隆させたストッパ杆９が連結されるとともに、
前記第二リンク片６には、前記ストッパ杆９が貫通し、前記内枠３の閉蓋姿勢から開蓋姿勢までの姿勢変換に伴う前記ストッパ杆９の相対移動を許容する長孔１０が開設される点検口を構成することができる。
【００１４】
内枠３は、フック部７をヒンジ支承部５に係止させた状態で開蓋状態に保持可能であり、この状態から内枠３を壁裏空間内方向に押し込んだ際のフック部７の係止解除の防止には、内枠３の外枠１への装着回転位置を除く位置でフック部７の移動を規制する適宜のストッパを壁裏空間内に配置することにより防止できるが、本発明のように、ストッパ杆９をヒンジ支承部５に形成した場合には、内枠３の装着角度を考慮する必要がなくなるために、外枠１への連結作業性が向上する。
【００１５】
また、ストッパ部８をストッパ杆９に形成することにより、フック部７をヒンジ支承部５に係止させた後、例えばボルトにより形成されるストッパ杆９をねじ込むだけでストッパを形成することができるために、内枠３の外枠１への連結作業性を低下させることがない。
【００１６】
さらに、第二リンク片６に開設され、上記ストッパ杆９が貫通する長孔１０はストッパ杆９のガイド孔として機能するために、内枠３の移動経路を正確に規制することができ、内枠３の円滑な開閉操作が可能になる。
【００１７】
また、上記目的を達成するための本発明の他の態様として、
前記第一リンク片４は内枠３に対して回転自在に連結される点検口を構成することができる。
【００１８】
本発明によれば、内枠３を開放した状態で、さらに、第一リンク片４に対して内枠３を回転させることができるために、点検作業性を向上させることが可能になる。
【００１９】
この場合、
前記第一リンク片４には、内枠３の閉蓋動作中に該内枠３に当接する内枠当接片１１が設けられる点検口を構成すると、内枠３を閉蓋方向への回転操作に第一リンク片４を確実に追随させることができるために、操作性が向上する。
【００２０】
さらに、上記目的を達成するための本発明の他の態様として、
前記第二リンク片６のフック部７と、内枠３の閉蓋時におけるヒンジ支承部５への当接部との境界には、内枠３のフック部７方向への移動に際してヒンジ支承部５に衝接して第二リンク片６の移動に対する抵抗力を発生させて第二リンク片６の第一リンク片４との摺動を第二リンク片６のヒンジ支承部５への乗り上げに先行させる傾斜部１２が設けられる点検口を構成することができる。
【００２１】
本発明において、内枠３の閉蓋操作は、内枠３を閉蓋方向に回転させた後、内枠３の回転端の外枠１との干渉を防止するために、内枠３をフック部７方向にスライドさせて行われる。
【００２２】
第二リンク片６の傾斜部１２は、内枠３をスライドさせる際に第二リンク片６のヒンジ支承部５上での摺動に抵抗を付与することにより、まず、第二リンク片６と第一リンク片４との滑り対偶でのスライド動作が先行して発生することが保証される。
【００２３】
この結果、開放状態の内枠３の閉蓋操作は、内枠３を回転基端側に押し付けるようにして閉蓋方向に回転させるだけで行うことができるために、操作性が向上する。
【００２４】
さらに、上記目的を達成するための本発明の他の態様として、
前記内枠３には、前記外枠１の点検口設置壁面１７への露出端を覆い、閉蓋姿勢において一本の連続する矩形枠形状の目地を構成する外向きフランジ２０ｄが設けられる点検口を構成することができる。
【００２５】
第二リンク片６のヒンジ支承部５に対するスライド、回転動作に加え、第二リンク片６の第一リンク片４に対するスライドが許容される本発明において、内枠３の下端が外枠１側に張り出し、閉蓋状態において一本の連続した目地が外部に現れる所謂一本目地を構成しても内枠３の外向きフランジ２０ｄの点検口設置壁面１７との衝接を発生させることなく開閉操作を行うことができる。
【発明の効果】
【００２６】
本発明によれば、点検口は、予め固定した外枠のヒンジ支承部に第二リンク片のフック部を係止させて内枠を連結することにより設置することができるために、設置効率を向上させることができる。
【図面の簡単な説明】
【００２７】
【図１】閉蓋状態の天井点検口を示す斜視図である。
【図２】開蓋状態の天井点検口を示す斜視図である。
【図３】閉蓋状態での連結ヒンジを示す部分拡大図である。
【図４】連結ヒンジを示す図で、（ａ）は図３の斜視図、（ｂ）は連結ヒンジの分解斜視図である。
【図５】連結ヒンジの動作を示す図で、（ａ）は内枠の開蓋動作初期を示す図、（ｂ）は内枠の開蓋状態を示す図である。
【図６】開蓋状態での連結ヒンジを示す要部拡大斜視図である。
【発明を実施するための形態】
【００２８】
図１以下に天井点検口として形成された本発明の実施の形態を示す。
【００２９】
天井点検口は、天井裏空間内に配設されるチャンネル材１３から吊り金具１４を使用して固定される外枠１と、外枠１に連結されて図１に示す閉蓋姿勢から図２に示す開蓋姿勢まで回転自在連結される内枠３とを有して構成される。
【００３０】
なお、本明細書において、閉蓋状態を基準に天井裏空間側を「上」、室内空間側を「下」、内枠３の回転先端側（図１の右上方向）を「後方」、その反対方向を「前方」とする。
【００３１】
図１に示すように、外枠１はアルミニウム材等の押出形材を適宜長さに切断した外枠片１ａをコーナ金具１ｂを使用して矩形枠形状に連結して形成される。図３に示すように、天井下地材１５に天井仕上材１６を固定した点検口設置壁面１７としての天井壁面には、点検用開口１７ａが開設されており、外枠１は、点検用開口１７ａに嵌合させるようにして装着される。
【００３２】
また、図３、４に示すように、上記外枠片１ａには上部縦壁部１８ａと、上部縦壁部１８ａの下端から外方に向けて延設される水平壁部１８ｂと、水平壁部１８ｂの自由端から下方に延設される下部縦壁部１８ｃとが形成され、上部縦壁部１８ａの外壁面に上記コーナ金具１ｂを嵌合保持するための金具嵌合部１８ｄが設けられる。
【００３３】
さらに、水平壁部１８ｂには、内枠３を閉蓋操作する際の内枠３との衝接音を防止するとともに、閉蓋状態におけるメタルコンタクトを防止し、さらに、天井裏空間の密閉性を確保する目的でパッキン１９が固定される。
【００３４】
また、下部縦壁部１８ｃの下端には外向フランジ１８ｅが突設されており、内枠３を開放した際の目地を形成する。
【００３５】
一方、内枠３は、外枠１と同様に、上部縦壁部２０ａ、水平壁部２０ｂ、および下部縦壁部２０ｃを備えた内枠片３ａを図外のコーナ金具を使用して矩形枠形状に連結して形成される。図４に示すように、内枠３の開口部は、蓋取付金具２１を介してネジ２５等により固定される天井下地材１５の下面に、下部縦壁部２０ｃと水平壁部２０ｂとで形成される段部に支持される天井仕上材１６を接着することにより閉塞され、閉蓋姿勢において水平壁部２０ｂが外枠１のパッキン１９に当接する。
【００３６】
また、下部縦壁部２０ｃの下端縁には、閉蓋姿勢において外枠１の外向フランジ１８ｅを完全に覆う外向フランジ２０ｄが設けられており、内枠３の閉蓋姿勢において天井壁面１７に対する目地を構成する。
【００３７】
以上のように形成される内枠３は連結ヒンジ２を介して外枠１に連結される。
【００３８】
連結ヒンジ２は、図３以下に示すように、内枠３の対向する一対の枠片の前端部近傍に連結される第一リンク片４と、この第一リンク片４に滑り対偶で連結される第二リンク片６とを有する。
【００３９】
図４に示すように、第一リンク片４は内枠３の上部縦壁部２０ａの外壁に沿って前後方向に向けて配置される板状主体部４ａを有し、板状主体部４ａに形成されるピン挿通孔４ｂを貫通する軸体２２により内枠３に回転自在に連結される。
【００４０】
また、第一リンク片４の上下側縁には第二リンク片６をスライド自在に嵌合するための断面Ｌ字形状の折り曲げ部４ｃが形成され、さらに、第一リンク片４の下端縁には、閉蓋状態の内枠３の上端縁に当接する内枠当接片１１が突設される。
【００４１】
一方、第二リンク片６は上記第一リンク片４の折り曲げ部４ｃ間にスライド自在に嵌合される垂直片部６ａと、垂直片部６ａの前端部から内方に折り曲げられる水平片部６ｂとを有し、水平片部６ｂの先端にフック部７が形成される。
【００４２】
垂直片部６ａの後端には、上記第一リンク片４の後方への離脱を防止するためのストッパビス６ｃが固定されるとともに、水平片部６ｂから外方に向けてストッパ舌片６ｄが突設され、第一リンク片４の前方へのストローク規制が行われる。
【００４３】
さらに、上記水平片部６ｂの先端には立ち下がり片７ａの下端から後方に係止片７ｂを屈曲させたフック部７と、フック部７の後端から下方に向けて傾斜する傾斜部１２とを有しており、傾斜部１２の基端から前方に向けて長孔１０が開設される。
【００４４】
これに対し、外枠１には垂直片２３ａの上端にヒンジ支承部５を曲成した支承部形成部材２３が連結される。この支承部形成部材２３は、上記垂直片２３ａをビス２３ｂによりコーナ金具１ｂに共締して外枠１の上部縦壁部１８ａの内壁面に連結され、連結状態において、ヒンジ支承部５は、内枠３の閉蓋状態において第二リンク片６の傾斜部１２の基端に対応して配置される（図３参照）。
【００４５】
また、このヒンジ支承部５には縦方向にネジ穴５ａが形成されており、外枠１の上端縁との間のスペースを利用してビス頭部をストッパ部８とするストッパ杆９としてのビスがねじ込まれる。
【００４６】
したがって、本例において、内枠３は、図３に示すように、第二リンク片６の傾斜部１２の基端部がヒンジ支承部５上に支承されるとともに、内枠３の回転先端縁（後端縁）の下方への移動がロック部材２４により規制されて閉蓋状態が維持される（図１参照）。
【００４７】
この状態からロック部材２４によるロックを解除して、内枠３の後端縁を下方に移動させると、内枠３はヒンジ支承部５の後端縁と第二リンク片６との接触部を回転中心として回転するとともに、第二リンク片６が第一リンク片４に対して後方にスライドし、図５（ａ）に示すように、内枠３は回転初期における外向フランジ２０ｄの天井壁面１７との衝接が防止される。
【００４８】
以上の回転初期の状態からさらに内枠３を開蓋方向に回転させると、図５（ｂ）に示すように、フック部７がヒンジ支承部５に乗り上げた状態で係止して外枠１から吊り下げられるとともに第一リンク片４の降下が第二リンク片６のストッパビス６ｃにより規制された開蓋状態に移行する。
【００４９】
また、図５（ｂ）に示す開蓋状態において内枠３は第一リンク片４と内枠３とを連結する軸体２２周りに回転自在であり、図５（ｂ）において矢印方向に回転させて開口周りにスペースを作ることができる。
【００５０】
以上の状態からの閉蓋状態への移行は、内枠３を閉蓋方向に回転させて行われ、内枠３が図５（ｂ）の鎖線位置にあるときには、まず、内枠３は第一リンク片４の内枠当接片１１に当接した後、さらに回転操作を続けると、第一リンク片４は内枠３の回転動作に追随する。
【００５１】
この後、さらに内枠３、および第一リンク片４を概ね図５（ａ）の状態まで回転させた後、内枠３を前方にスライドさせると、まず、第二リンク片６の傾斜部１２がヒンジ支承部５の後端縁に当接する。この状態からさらに内枠３を前方に押し込むと、第一リンク片の板状主体部４ａの端部とストッパ舌片６ｄとが当節してスライドが制限され、傾斜部１２がヒンジ支承部５に乗り上がるために適宜の抵抗があるために、まず、円滑な摺動が保証される第二リンク片６と第一リンク片４との間の摺動が発生する。
【００５２】
この状態からさらに内枠３を先端方向に押し込むと、傾斜部１２がヒンジ支承部５上に乗り上がった後、傾斜部１２の基端部がヒンジ支承部５に乗り上がる。これによって内枠３の前端縁は上方に押し上げられるとともに、後端を押し込むと内枠３は閉蓋状態に移行する。
【００５３】
また、天井点検口の設置は、まず、外枠１を固定した状態で、図５（ｂ）に示すように、第二リンク片６のフック部７をヒンジ支承部５に係止させた後、ストッパ杆９をヒンジ支承部５にねじ込むだけで行うことができる。
【符号の説明】
【００５４】
１        外枠
２        連結ヒンジ
３        内枠
４        第一リンク片
５        ヒンジ支承部
６        第二リンク片
７        フック部
８        ストッパ部
９        ストッパ杆
１０      長孔
１１      内枠当接片
１２      傾斜部
１７      点検口設置壁面
２０ｄ    外向きフランジ
【図１】
2018109267.tif 000003
【図２】
2018109267.tif 000004
【図３】
2018109267.tif 000005
【図４】
2018109267.tif 000006
【図５】
2018109267.tif 000007
【図６】
2018109267.tif 000008